(57)【要約】【課題】  正面側からであっても背面側からであっても、施開錠を容易にする施錠装置を提供する。【解決手段】  片開き、両開き、または観音開きの扉に設けられ、扉本体の開放を規制するための施錠装置であって、前記扉本体または前記扉本体の外周に位置する固定枠に形成され、正面側および背面側の面を貫通する開放部と、前記扉本体の開放を規制する第一の状態と、前記扉本体の開放の規制を解除する第二の状態とに切り替え操作可能なロック部材と、前記開放部内に配置され、前記ロック部材が第一の状態にある場合に、前記ロック部材の第二の状態への切り替わりを防止すべく、前記ロック部材を係止可能な係止部とを備える。【選択図】  図１
2012021286.tif 000002
【特許請求の範囲】
【請求項１】
片開き、両開き、または観音開きの扉に設けられ、扉本体の開放を規制するための施錠装置であって、
前記扉本体または前記扉本体の外周に位置する固定枠に形成され、正面側および背面側の面を貫通する開放部と、前記扉本体の開放を規制する第一の状態と、前記扉本体の開放の規制を解除する第二の状態とに切り替え操作可能なロック部材と、前記開放部内に配置され、前記ロック部材が第一の状態にある場合に、前記ロック部材の第二の状態への切り替わりを防止すべく、前記ロック部材を係止可能な係止部とを備えることを特徴とする施錠装置。
【請求項２】
前記ロック部材は、前記扉本体または前記扉本体の外周に位置する固定枠に取り付けられ、取り付け位置を中心に回動することで、第一の状態および第二の状態に切り替わることを特徴とする請求項１に記載の施錠装置。
【発明の詳細な説明】
【技術分野】
【０００１】
本発明は、施錠装置に関し、詳しくは片開き、両開き、または観音開きの扉に設けられ、扉本体の開放を規制するための施錠装置に関する。
【背景技術】
【０００２】
従来、無人設備等への第三者の侵入を防止することを目的として、外枠、たとえばフェンス外枠が設置されていた。フェンス外枠には、無人設備等へ入場することを目的とする扉本体が設けられていた。扉本体は、施錠装置を用いて施錠されていた。施錠装置として、特許文献１から４が知られている。
【０００３】
特許文献１に係るフェンス用門扉の施錠装置では、錠孔が、扉の正面側または背面側のそれぞれに設けられている。表側から門扉を開く場合、表操作片の錠孔と表錠片とをロックしている南京錠を外すことで施錠装置を開錠している。裏側から門扉を開く場合、裏操作片の錠孔と裏錠片とを外すことで施錠装置を開錠している。
【０００４】
特許文献２に係る門扉では、施錠片の基端部に錠前孔が形成され、錠受金具の錠前孔部に錠前孔が形成されている。表側から門扉を開く場合、施錠片の錠前孔と錠受金具の錠前孔とをロックしている錠前を外すことで、施錠装置を開錠している。裏側から門扉を開く場合、施錠片の錠前孔と錠受金具の錠前孔とをロックしている錠前を外すことで、施錠装置を開錠している。
【０００５】
特許文献３に係る建築物の扉では、施錠装置は、施錠装置部と、スライド軸と、錠とによって構成されている。表側から扉を開く場合、表側から錠を外すことで開錠している。裏側から扉を開く場合、開口部を介して表側の錠を外すことで開錠している。
【０００６】
特許文献４に係る門扉の施開錠装置及びこれを用いた施開錠方法では、施錠装置は、閂と、第一の起立挿入片と、閂を覆うカバー部材とによって構成されている。表側から門扉を開く場合、カバー部材の鍵を外して、カバー部材を上方向に開いた後、第一の起立挿入片から閂を外すことで開錠している。裏側から門扉を開く場合、開口部を介して表側の第一の起立挿入片から閂を外すことで開錠している。
【先行技術文献】
【特許文献】
【０００７】
【特許文献１】特開平３−１７６５８０号公報
【特許文献２】特開２００７−３０８９２７号公報
【特許文献３】実開平２−４０８９９号公報
【特許文献４】特開２００７−１１３３４１号公報
【発明の概要】
【発明が解決しようとする課題】
【０００８】
特許文献１に係るフェンス用門扉の施錠装置、および特許文献２に係る門扉では、門扉の施錠位置が、表または裏の一方となっている。そのため、入場者が表側から入場して、裏側から施錠する場合、次の入場者は入場できなかった。
【０００９】
特許文献３に係る建築物の扉、および特許文献４に係る門扉の施開錠装置及びこれを用いた施開錠方法では、裏側から門扉を施開錠する場合、施錠位置が門扉の表側のみであるので、施錠位置が見えにくく、手探りで錠前を探す必要があった。そのため、施開錠が煩雑になっていた。
【００１０】
本発明は、斯かる事情に鑑み、正面側からであっても背面側からであっても、施開錠を容易にする施錠装置を提供することを課題とする。
【課題を解決するための手段】
【００１１】
本発明に係る引抜補助具は、片開き、両開き、または観音開きの扉に設けられ、扉本体の開放を規制するための施錠装置であって、扉本体または扉本体の外周に位置する固定枠に形成され、正面側および背面側の面を貫通する開放部と、扉本体の開放を規制する第一の状態と、扉本体の開放の規制を解除する第二の状態とに切り替え操作可能なロック部材と、開放部内に配置され、ロック部材が第一の状態にある場合に、ロック部材の第二の状態への切り替わりを防止すべく、ロック部材を係止可能な係止部とを備える。
【００１２】
かかる構成によれば、入場者が正面側から裏面側へ入場する場合、係止部は、開放部を介してロック部材の係止を解除する動作を受けることで、ロック部材を解放する。ロック部材は、第一の状態から第二の状態へと切り替えられる。扉本体は、ロック部材の第二の状態への遷移により、開放の規制から解除される。
【００１３】
入場者が裏面側へ入場した後、ロック部材は、第二の状態から第一の状態へと切り替えられる。扉本体は、ロック部材の第一の状態への遷移により、開放を規制される。係止部は、開放部を介してロック部材を係止する動作を受けることで、ロック部材の第二の状態への切り替わりを防止すべく、ロック部材を係止する。
【００１４】
裏面側から正面側へ退場する場合においても同様の作用により、扉本体は、開放の規制から解除される。入場者が正面側へ退場した後においても同様の作用により、扉本体は、開放を規制される。
【００１５】
また、本発明に係る施錠装置では、ロック部材は、扉本体または扉本体の外周に位置する固定枠に取り付けられ、取り付け位置を中心に回動することで、第一の状態および第二の状態に切り替わってもよい。
【００１６】
かかる構成によれば、ロック部材は、係止部の係止から解放されることで、回動自在となる。ロック部材は、回動することで、第一の状態から第二の状態へと切り替わる。扉本体は、ロック部材の第一の状態から第二の状態への遷移により、開放の規制から解除される。
【００１７】
また、ロック部材は、回動することで、係止部へと係止される。ロック部材は、係止部へと係止されることで、第二の状態から第一の状態へと切り替わる。扉本体は、ロック部材の第二の状態から第一の状態への遷移により、開放を規制される。
【発明の効果】
【００１８】
以上の如く、本発明に係る施錠装置によれば、正面側からであっても背面側からであっても、施開錠を容易にできる。
【図面の簡単な説明】
【００１９】
【図１】本発明の一実施形態に係る施錠装置を有する扉の正面模式図を示す。
【図２】同実施形態に係る施錠装置あって、図２（ａ）は、図１に係るフェンスのＡ−Ａ断面図、図２（ｂ）は、ロック部材の斜視図を示す。
【図３】同実施形態に係る係止部の側面図を示す。
【図４】同実施形態に係る第二の状態にある施錠装置の側面図を示す。
【図５】本発明の他の実施形態に係る施錠装置を有する扉の正面模式図を示す。
【図６】本発明の筒形状を有する係止部の側面図を示す。
【発明を実施するための形態】
【００２０】
以下、本発明に係る施錠装置における第１の実施形態について、図１〜図４を参酌して説明する。
【００２１】
図１は、施錠装置を有する扉の正面側模式図を示す。本実施手形態では、扉としてフェンス１００を例として説明する。また、扉を片開きの扉として説明する。
【００２２】
フェンス１００は、扉本体１１０と、固定枠１２０および固定枠１３０とを備える。扉本体１１０は、固定枠１２０および固定枠１３０に挟まれて配置される。扉本体１１０は、固定枠１３０に取り付けられる。扉本体１１０は、固定枠１３０との取り付け位置を中心として回動自在に設けられる。
【００２３】
施錠装置２００は、扉本体１１０に設けられる。施錠装置２００は、扉本体１１０の固定枠１２０と近接する位置に設けられる。施錠装置２００は、扉本体１１０の開放を規制する。すなわち、施錠装置２００は、固定枠１２０と係止することで、扉本体１１０の開放を規制する。施錠装置２００は、ロック部材２１０、係止部２２０、開放部２３０、アーム軸部２４０、および鍵２５０を有する。
【００２４】
図２（ａ）は、図１に係るフェンス１００のＡ−Ａ’断面図を示す。開放部２３０は、扉本体１１０に形成され、正面側および背面側の面を貫通する。アーム軸部２４０は、ロック部材２１０および扉本体１１０を挿通する。
【００２５】
ロック部材２１０は、扉本体１１０の開放を規制する第一の状態と、扉本体１１０の開放の規制を解除する第二の状態とに切り替え操作可能である。ロック部材２１０は、扉本体１１０に取り付けられ、取り付け位置を中心に回動することで、第一の状態および第二の状態に切り替わる。すなわち、ロック部材２１０は、アーム軸部２４０により扉本体１１０に取り付けられ、アーム軸部２４０を中心に回動することで、第一の状態および第二の状態に切り替わる。
【００２６】
係止部２２０は、開放部２３０内に配置され、ロック部材２１０が第一の状態にある場合に、ロック部材２１０の第二の状態への切り替わりを防止すべく、ロック部材２１０を係止する。係止部２２０は、扉本体１１０から開放部２３０内に突設される。すなわち、係止部２２０は、開放部２３０内に片持ち梁状に設けられる。
【００２７】
係止部２２０は、その自由端側に鍵２５０を懸架可能に設けられる。ロック部材２１０が第一の状態にある場合に、係止部２２０は、鍵２５０を懸架することで、ロック部材２１０に鍵２５０を超えて回動することを規制する。すなわち、係止部２２０は、ロック部材２１０に第二の状態から第一の状態への切り替わりを防止する。鍵２５０は、たとえば南京錠であってよい。
【００２８】
図２（ｂ）は、ロック部材２１０の斜視図を示す。ロック部材２１０は、アーム部２１２、軸受部２１４、および嵌合部２１６を有する。
【００２９】
ロック部材２１０は、略Ｌ字形状を有する。ロック部材２１０は、一端に嵌合部２１６を有し、他端側にアーム部２１２を有する。ロック部材２１０は、アーム部２１２および嵌合部２１６の中間位置に軸受部２１４を有する。
【００３０】
アーム部２１２は、固定枠１２０と係止することで、扉本体１１０の開放を規制する。嵌合部２１６は、係止部２２０と嵌合することで、係止部２２０と係止可能となる。係止部２２０が鍵２５０を懸架することで、嵌合部２１６は、鍵２５０を超えて移動することを規制される。すなわち、ロック部材２１０は、第一の状態から第二の状態へ切り替わることを防止される。
【００３１】
図３は、同実施形態に係る係止部２２０の側面図を示す。係止部２２０は、片持ち梁２２２、ブレード部２２４、鍵軸部２２６、および孔部２２８を有する。
【００３２】
片持ち梁２２２は、扉本体１１０に突設される。片持ち梁２２２は、自由端側に凹部２２３を含む。片持ち梁２２２は、ロック部材２１０と嵌合する。ブレード部２２４は、凹部２２３および孔部２２８を含む。凹部２２３は、凸部２２５と嵌合する。孔部２２８は、鍵２５０により挿通される。孔部２２８に鍵２５０が挿通されて、ブレード部２２４は、鍵２５０を懸架する。
【００３３】
鍵軸部２２６は、凹部２２３および凸部２２５を挿通する。ブレード部２２４は、鍵軸部２２６を軸として、正面側および背面側に回動自在になっている。
【００３４】
本実施形態に係る施錠装置の構成は以上の通りであり、次に、本実施形態に係る施錠装置の作用について説明する。図４は、第二の状態にある施錠装置の側面図を示す。
【００３５】
入場者が正面側から背面側へと入場する場合、ブレード部２２４は、開放部２３０を介して回動される。すなわち、ブレード部２２４は、開放部２３０を介して、鍵軸部２２６を軸として、扉本体１１０の正面側に鍵２５０を向けるべく回動される。鍵２５０は、扉本体１１０の正面側から開放部２３０を介して、孔部２２８から外される。
【００３６】
ロック部材２１０は、アーム軸部２４０を軸として回動することで、第一の状態から第二の状態へと切り替え操作される。すなわち、ロック部材２１０は、アーム軸部２４０を軸として、係止部２２０から嵌合部２１６を離す方向に回動する。また、ロック部材２１０は、アーム軸部２４０を軸として、固定枠１２０の上方向にアーム部２１２を回動して、固定枠１２０とアーム部２１２との係止を解放する。
【００３７】
扉本体１１０は、ロック部材２１０の第二の状態への移行により、開放可能となる。扉本体１１０は、開放されることで、入場者の背面側への入場を可能とする。
【００３８】
入場者が背面側へと入場した後、ロック部材２１０は、アーム軸部２４０を軸として回動することで、第二の状態から第一の状態へと切り替え操作される。すなわち、ロック部材２１０は、アーム軸部２４０を軸として、係止部２２０へ嵌合部２１６を嵌合する方向に回動する。また、ロック部材２１０は、アーム軸部２４０を軸として、固定枠１２０の下方向にアーム部２１２を回動して、固定枠とアーム部２１２とを係止する。
【００３９】
嵌合部２１６が係止部２２０と係止された後、ブレード部２２４は、開放部を介して、鍵軸部２２６を軸として、扉本体１１０の背面側に孔部２２８を向けるべく回動される。鍵２５０は、扉本体１１０の背面側から開放部２３０を介して、孔部２２８へと挿通して取り付けられる。正面側から次の入場者が背面側へ入場する場合にも、同様の作用により施錠装置を利用できる。また、入場者が背面側から正面側へと退場する場合であっても、同様の作用を背面側からすることで、施錠装置を利用できる。
【００４０】
以上より、本実施形態に係る施錠装置２００によれば、正面側および背面側のいずれにおいても、容易に扉本体を施開錠できる。係止部は、正面側または背面側に鍵を向けることができるので、鍵の施開錠を容易にできる。これにより、入場者が正面側から入場した後、背面側から施錠した場合であっても、次の入場者は容易に開錠できる。また、入場者が背面側から退場した後、正面側から施錠した場合であっても、次の退場者は容易に開錠できる。
【００４１】
さらに、開放部を設置するのは一箇所でよいので、鍵の確認を目的として開放部を複数設ける場合に比べ、扉本体を作成する施工工程を短縮できる。また、開放部の大きさは、開放部内の係止部に手が届く程度であればよいので、腕を開放部に挿通する場合を想定して形成する場合に比べ、径を小さくすることができる。これにより、小動物が開放部から侵入することを、より防止することができる。
【００４２】
本実施形態に係る施錠装置２００は、以下のような変形例を採用してもよい。
【００４３】
ロック部材２１０が第二の状態にある場合、すなわち、扉本体１１０を開放する規制を解除する状態にある場合、施錠装置２００は、第二の状態を維持するべく、ロック部材２１０を係止する第二係止部を有してもよい。すなわち、ロック部材２１０が第二の状態にある場合に、嵌合部２１６は、第二係止部と嵌合してもよい。そして、第二係止部は、鍵２５０を懸架してもよい。
【００４４】
ロック部材２１０が第二の状態を維持できるので、複数の入場者がいる場合に、入場者ごとにロック部材２１０を回動操作せずともよい。したがって、より利便性の高い施錠装置を提供できる。
【００４５】
また、アーム部２１２の一部または全てを扉本体１１０の上方向に湾曲させてもよい。ロック部材２１０が第二の状態から第一の状態に切り替えられる場合であって、扉本体１１０の位置と固定枠１２０との位置が若干ずれている場合であっても、ロック部材２１０は、その回動に応じて、固定枠１２０の位置を基準として、扉本体１１０の位置を調整できる。これにより、アーム部２１２を固定枠１２０に、よりスムーズに係止できる。
【００４６】
次に、本発明に係る施錠装置における第２の実施形態について、図５を参酌して説明する。なお、図５において、図１〜図４の符号と同一の符号を付した部分は、同一の構成又は要素を表す。
【００４７】
図５は、施錠装置２００を有する扉の正面模式図を示す。第２の実施形態では、ロック部材２１０は、扉本体１１０に対してスライド可能に設けられている。ロック部材２１０は、開放部２３０の方向にスライドすることで、第二の状態となる。逆に、ロック部材２１０は、開放部２３０と逆の方向にスライドすることで、第一の状態となる。係止部２２０は、開放部２３０内に配置され、ロック部材２１０が第一の状態にある場合に、ロック部材２１０の第二の状態への切り替わりを防止すべく、ロック部材２１０を係止する。その他の作用については、本発明に係る第一の実施形態と同一であるので、ここでは説明を省略する。
【００４８】
以上により、本実施形態に係る施錠装置２００によれば、正面側および背面側のいずれにおいても、容易に扉本体を施開錠できる。係止部は、正面側または背面側に鍵を向けることができるので、容易に鍵を施開錠できる。これにより、入場者が入場した後であっても、次の入場者が容易に開錠できる。また、背面側から正面側へと退出する場合にも、容易に鍵を施開錠できる。
【００４９】
さらに、開放部を設置するのは一箇所でよいので、鍵の確認を目的として複数設ける場合に比べ、扉本体を作成する施工工程を短縮できるまた、開放部の大きさは、開放部内の係止部に手が届く程度であればよいので、腕を開放部に挿通する場合を想定して形成する場合に比べ、径を小さくすることができる。これにより、小動物が開放部から侵入することを、より防止することができる。また、ロック部材が回動する場合に比べ、ロック部材の動作範囲を狭くすることができるので、開放部をさらに小さく形成することができる。
【００５０】
なお、本発明に係る施錠装置は、上記した実施の形態に限定されるものではなく、本発明の要旨を逸脱しない範囲内において種々変更を加え得ることは勿論である。また、上記した複数の実施形態の構成や方法等を任意に採用して組み合わせてもよく（１つの実施形態に係る構成や方法等を他の実施形態に係る構成や方法等に適用してもよく）、さらに、下記の各種の変更例に係る構成や方法等を任意に選択して、上記した実施形態に係る構成や方法等に採用してもよいことは勿論である。
【００５１】
係止部２２０は、片持ち梁形状のみであってもよい。この場合、係止部２２０の動作部分をなくすことができるので、係止部２２０に由来する施錠装置２００の故障率を低減することができる。
【００５２】
また、係止部２２０は、図６のように筒形状であってもよい。ブレード部２２４は、片持ち梁２２２に対してダイヤル状に設けられ、筒形状の中心を軸として回動自在に設けられてよい。なお、係止部２２０は、扉本体１１０に対してダイヤル状に設けられ、係止部２２０自体が筒形状の中心を軸として回動する構成であってもよい。これにより、正面側または背面側に孔部２２８を傾けることができるので、孔部２２８を挿通する鍵２５０の底面を正面側または背面側に向けることができる。したがって、より容易に施錠装置２００の施開錠をすることができる。
【００５３】
また、扉は、両開きまたは観音開きであってもよい。これらの扉に施錠装置を利用する場合、施錠装置は、扉の開放位置に取り付けられるのが好ましい。たとえば、観音開きの扉の場合、閉じられている２つの扉の自由端側のいずれか、すなわち２つの扉の近接する位置のいずれかに設けられるのが好ましい。これにより、片開き扉のみならず、両開きまたは観音開きの扉においても本発明の施錠装置を利用できるので、扉の開放方法に影響されない、より汎用性のある施錠装置を提供できる。
【００５４】
また、ロック部材２１０は、扉本体１１０の外周に位置する固定枠に取り付けられてもよい。たとえば、ロック部材２１０を固定枠側に設けることで、ロック部材２１０は、扉本体１１０と一緒に開放されない。これにより、扉の形状や扉の設置位置などに影響されにくい施錠装置２００を提供でき、様々な場所に施錠装置２００を設置できる。
【００５５】
また、開放部２３０は、前記扉本体１１０の外周に位置する固定枠に形成されてもよい。たとえば、ロック部材２１０とともに固定枠に形成されることで、扉本体１１０をシンプルにすることができる。これにより、ロック部材２１０の変形例と併せ、より扉の形状や扉の設置位置などに影響されにくい施錠装置２００を提供でき、様々な場所に施錠装置２００を設置できる。
【符号の説明】
【００５６】
１００  フェンス
１１０  扉本体
１２０  固定枠
１３０  固定枠
２００  施錠装置
２１０  ロック部材
２１２  アーム部
２１４  軸受部
２１６  嵌合部
２２０  係止部
２２２  片持ち梁
２２３  凹部
２２４  ブレード部
２２５  凸部
２２６  鍵軸部
２２８  孔部
２３０  開放部
２４０  アーム軸部
２５０  鍵
【図１】
2012021286.tif 000003
【図２】
2012021286.tif 000004
【図３】
2012021286.tif 000005
【図４】
2012021286.tif 000006
【図５】
2012021286.tif 000007
【図６】
2012021286.tif 000008